(57)【要約】【課題】  トリップを含むイベントデータが制御装置に確実に保持され、そのデータがイベントサーバに収集される進捗状況を一目で確認することができるイベント監視システムを実現する。【解決手段】イベントメモリ手段のイベント情報を収集してデータベースに保持するイベントサーバと、前記データベースのイベント情報を取得して表示するイベント監視装置を有するイベント監視システムにおいて、  前記イベント監視装置は、前記イベントメモリ手段のイベント情報が前記イベントサーバへ収集される進捗状況を表示するための収集状況表示手段を備える。【選択図】                    図１
2006146632.tif 000002
【特許請求の範囲】
【請求項１】
イベントメモリ手段のイベント情報を収集してデータベースに保持するイベントサーバと、前記データベースのイベント情報を取得して表示するイベント監視装置を有するイベント監視システムにおいて、
前記イベント監視装置は、前記イベントメモリ手段のイベント情報が前記イベントサーバへ収集される進捗状況を表示するための収集状況表示手段を備えることを特徴とするイベント監視システム。
【請求項２】
前記イベントメモリ手段に収集するイベント情報は、プラントがトリップ状態になったときに発生するトリップイベントであることを特徴とする請求項１に記載のイベント監視システム。
【請求項３】
前記イベント監視装置は、前記イベントメモリ手段をユーザの操作により初期化するための初期化手段を備えることを特徴とする請求項１又は２に記載のイベント監視システム。
【請求項４】
前記イベントメモリ手段は、多重化構成となっていることを特徴とする請求項１乃至３のいずれかに記載のイベント監視システム。
【請求項５】
イベント情報を前記イベントメモリ手段に保持する制御装置を有し、前記収集状況表示手段及び前記初期化手段は、前記制御装置毎に選択表示されることを特徴とする請求項３又は４に記載のイベント監視システム。
【請求項６】
前記制御装置は、上位の操作監視装置と共に分散型制御システムを形成することを特徴とする請求項５に記載のイベント監視システム。
【請求項７】
前記イベント監視装置は、前記操作監視装置内に設けられることを特徴とする請求項６に記載のイベント監視システム。
【請求項８】
前記イベント監視装置は、汎用通信バスを介して接続される外部ＰＣ内に設けられることを特徴とする請求項１乃至７のいずれかに記載のイベント監視システム。
【発明の詳細な説明】
【技術分野】
【０００１】
本発明は、イベント情報をイベントメモリ手段に保持する制御装置と、前記イベントメモリ手段のイベント情報を収集してデータベースに保持するイベントサーバと、前記データベースのイベント情報を取得して表示するイベント監視装置を有するイベント監視システムに関する。
【背景技術】
【０００２】
イベント監視システムの一般的な構成は、プラントで発生するイベント情報（トリップ情報を含む）を制御装置の内部メモリに一時保持し、その保持したイベント情報をイベント発生時、或いは定周期でイベントサーバが収集してデータベースに保持する。データベースに保持されたイベント情報を、監視装置が取得してユーザが画面監視する。
【０００３】
図２は、従来のイベント監視システムの構成例を示す機能ブロック図である。１は分散型制御システムの制御バス、２はこの制御バスに接続される上位の操作監視装置である。３は、制御バス１に接続された制御装置であり、操作監視装置２と通信すると共に、フィールドバスインターフェース４を介してフィールドバス５に接続されたプラントのフィールド機器６１，６２，…６ｎの制御を実行する。
【０００４】
プラントで発生するイベント情報は、フィールド機器６１，６２，…６ｎより制御装置３に通知され、制御装置３に備わるイベント処理手段３１によりイベントメモリ手段３２に一時的に保持される。
【０００５】
７は、イベントサーバであり、制御バス１を介して制御装置と通信し、制御装置３のイベントメモリ手段３２に一時的に保持されたイベント情報をイベント発生時、或いは定周期でＯＰＣインターフェース７１を介して収集し、データベース７２に保持する。７３は、トリップ識別手段であり、収集されたイベント情報の内、トリップイベントを識別してイベント監視装置に通知する。
【０００６】
８はイベント監視装置であり、制御バス１を介してイベントサーバ７と通信し、イベントサーバ７のデータベース７２に保持されているイベント情報を定周期でＯＰＣインターフェース８１を介して取得し、時系列的にイベント表示手段８２の監視画面に所定個数表示する。
【０００７】
表示されるイベント情報の内、トリップイベントに関する情報は、イベントサーバ７のトリップ識別手段７３から通知される情報に基づいて通常のイベント情報とは表示色を変えて表示することにより、ユーザはトリップイベントを視覚的に識別することが可能である。ユーザは、このトリップイベント情報に基づいてイベントを解析し、プラントトリップの原因を調査する。
【０００８】
９は、イーサネット（登録商標）で代表される汎用通信バスであり、操作監視装置２、イベントサーバ７、イベント監視装置８が接続され、この汎用通信バスを介して外部ＰＣと通信可能な環境となっている。
【０００９】
制御装置３の内部メモリ領域に形成されるイベントメモリ手段３２は、通常のイベント情報もトリップイベント情報も同一扱いで保持する。イベントメモリ手段３２の保持するデータ量は有限であるため、満杯になると古いデータを破棄して新しいデータを書き込む、ロータリー形式の運用が採用されている。
【００１０】
特許文献１には、イベント情報を操作監視ステーションに送る分散型制御装置が記載されている。
【００１１】
【特許文献１】特開２００４−５４７５０号公報
【発明の開示】
【発明が解決しようとする課題】
【００１２】
従来システムの構成では、次のような問題点がある。
（１）プラントトリップ等の場合、制御装置が内部に保持しているイベント情報は、トリップ原因を調査する上で無くてはならない重要な情報なので、新しくイベントが発生したからといって、古いものから消去するようなロータリー形式の運用では、イベントサーバに収集が完了しない内に重要な情報が破棄されるおそれがある。
【００１３】
（２）メモリ資源は有限である。よって、トリップイベントのイベントサーバへの収集が完了後は、これを確認して制御装置の内部メモリを初期化し、次回のプラントトリップ発生時に備える必要がある。
【００１４】
この作業は、ソフトが自動的に行うのではなく、ユーザの確認と手動操作が必須であるが、従来のイベント監視システムでは、イベントサーバのデータベース収集状況を参照するインターフェース及び制御装置の内部メモリを初期化するインターフェースがない。
【００１５】
従って本発明が解決しようとする課題は、トリップを含むイベントデータが制御装置に確実に保持され、そのデータがイベントサーバに収集される進捗状況を一目で確認することができるイベント監視システムを実現することにある。
【課題を解決するための手段】
【００１６】
このような課題を達成するために、本発明の構成は次の通りである。
（１）イベントメモリ手段のイベント情報を収集してデータベースに保持するイベントサーバと、前記データベースのイベント情報を取得して表示するイベント監視装置を有するイベント監視システムにおいて、
前記イベント監視装置は、前記イベントメモリ手段のイベント情報が前記イベントサーバへ収集される進捗状況を表示するための収集状況表示手段を備えることを特徴とするイベント監視システム。
【００１７】
（２）前記イベントメモリ手段に収集するイベント情報は、プラントがトリップ状態になったときに発生するトリップイベントであることを特徴とする（１）に記載のイベント監視システム。
【００１８】
（３）前記イベント監視装置は、前記イベントメモリ手段をユーザの操作により初期化するための初期化手段を備えることを特徴とする（１）又は（２）に記載のイベント監視システム。
【００１９】
（４）前記イベントメモリ手段は、多重化構成となっていることを特徴とする（１）乃至（３）のいずれかに記載のイベント監視システム。
【００２０】
（５）イベント情報を前記イベントメモリ手段に保持する制御装置を有し、前記収集状況表示手段及び前記初期化手段は、前記制御装置毎に選択表示されることを特徴とする（３）又は（４）に記載のイベント監視システム。
【００２１】
（６）前記制御装置は、上位の操作監視装置と共に分散型制御システムを形成することを特徴とする（５）に記載のイベント監視システム。
【００２２】
（７）前記イベント監視装置は、前記操作監視装置内に設けられることを特徴とする（６）に記載のイベント監視システム。
【００２３】
（８）前記イベント監視装置は、汎用通信バスを介して接続される外部ＰＣ内に設けられることを特徴とする（１）乃至（７）のいずれかに記載のイベント監視システム。
【発明の効果】
【００２４】
以上説明したことから明らかなように、本発明によれば次のような効果がある。
（１） ユーザは、イベント監視装置の操作、或いはイベントサーバの設定によって、リアルタイムにイベントの収集状況を知ることができる。又、その収集状況の表示方法は、収集状況が一目で分かるバー表示である。
【００２５】
（２）イベントサーバは、制御装置の負荷や通信負荷を考慮し、一定期間データが更新されていないと収集を行わない仕組みを持っている。ユーザは、イベントサーバによる制御装置へのイベント収集が一定期間発生しなかった場合、収集状況を表示するバー表示の色が変更されることにより、現在の表示内容が古いものであることを直ちに知ることができ、不正確なデータによるトリップ解析を回避することができる。
【００２６】
（３）制御装置の内部メモリに保持されるトリップイベント情報は可変量である。本発明による収集状況表示手段によれば、バー表示（％表記も含む）により、その時の情報量に応じて正しく収集の進捗状況を表示することができる。
【００２７】
（４） ユーザは、イベントサーバのデータベースにトリップイベント情報の収集が完了（収集率１００％）したことを確認し、必要に応じて（場合によっては直ちに）、本発明で備えるもう一つの特徴である初期化手段のウィンドウを用いて制御装置の内部メモリを初期化し、次回のイベント発生時に備えることができる。
【発明を実施するための最良の形態】
【００２８】
以下、本発明を図面により詳細に説明する。図１は本発明を適用したイベント監視システムの一実施形態を示す機能ブロック図である。図２で説明した従来システムと同一要素には同一符号を付し、説明を省略する。以下、本発明の特徴部につき説明する。
【００２９】
図１において、１００は、本発明が適用されたイベント監視装置であり、ＯＰＣインターフェース１０１及びイベント表示手段１０２は、従来システムの要素８１及び８２と同一機能である。
【００３０】
イベント監視装置１００において、１０３は収集状況表示手段であり、イベントサーバ７との通信により、制御装置３のイベントメモリ手段に保持されるイベント情報のイベントサーバ７のデータベース７２への収集状況（収集の進捗情報＊＊％）をバーグラフ表示する。１０４は初期化手段であり、ユーザの手動操作により制御装置３のイベントメモリ手段に保持されるイベント情報を初期化する。
【００３１】
２００は、本発明が適用された制御装置（ＦＣＳ−１）であり、イベント処理手段２０１は、通常イベントとトリップイベントを識別し、通常イベントは従来システムと同一機能を有するロータリー形式の通常イベントメモリ手段２０２に書き込んで保持すると共に、トリップイベントは２重化構成の第１トリップイベントメモリ手段２０３ａ及び第２トリップイベントメモリ手段２０３ｂに書き込んで保持する。このようにトリップイベントメモリ手段を多重化することにより、トリップイベント情報がイベントサーバに収集完了しない内に次のトリップイベントが発生した場合に前のトリップイベント情報を破壊することを避けることが可能である。実施例では２重化した場合を示したが３重化以上とすることも可能である。通常イベントメモリ手段２０２、第１トリップイベントメモリ手段２０３ａ及び第２トリップイベントメモリ手段２０３ｂによりイベントメモリ手段を構成する。
【００３２】
イベント監視装置１００における収集状況表示手段１０３において、１０３ａ及び１０３ｂは、第１収集状況表示バー及び第２収集状況表示バーを示し、制御装置２００の第１トリップイベントメモリ手段２０３ａ及び第２トリップイベントメモリ手段２０３ｂに対応してこれらメモリ手段のトリップイベント情報がイベントサーバ７のデータベース７２に収集される過程の進捗状況をバーグラフで％表示する。
【００３３】
収集状況表示手段１０３において、１０３ｃは制御装置階層表示画面であり、制御バス１に接続される複数の制御装置を階層表示し、ユーザは進捗状況を参照したい対象の制御装置をこの画面で指定して選択することができる。
【００３４】
イベント監視装置１００における初期化手段１０４において、１０４ａは制御装置選択手段であり、選択ボックスの画面から初期化したい制御装置（この例ではＦＣＳ−１）を選択する。１０４ｂは初期化ボタンであり、ユーザの手動操作で選択された制御装置の内部メモリを初期化する。
【００３５】
本発明の機能を利用する操作手順では、ユーザは、収集状況表示手段１０３のウィンドウを表示させ、制御装置２００の内部メモリのイベントデータが全てイベントサーバのデータベースに収集されているかを、バー表示を見て確認する。
【００３６】
ユーザは、収集状況を確認した後、初期化手段１０４のダイアログで表示される初期化ボタン１０４ｂをクリック操作して制御装置２００の内部メモリを初期化し、次回のプラントトリップに備える。
【００３７】
イベント サーバ７は、制御装置の負荷や通信負荷を考慮し、一定期間データが更新されていないと収集を行わない仕組みを持っている。ユーザは、イベントサーバによる制御装置へのイベント収集が一定期間発生しなかった場合、収集状況を表示するバー表示の色が変更されることにより、現在の表示内容が古いものであることを直ちに知ることができ、不正確なデータによるトリップ解析を回避することができる。
【００３８】
以上説明した実施形態では、収集状況表示手段１０３及び初期化手段１０４は、制御装置のトリップイベントメモリ手段２０３ａ，２０３ｂを対象としたものであるが、通常イベントメモリ手段２０２の管理手段として利用することも可能である。
【００３９】
実施形態では、イベント監視装置１００は独立構成の装置として説明したが、この機能を分散型制御システムの上位装置である操作監視装置２内に構築することができる。同様に、この機能を汎用通信バス９の接続される外部ＰＣ内に構築することもできる。
【図面の簡単な説明】
【００４０】
【図１】本発明を適用したイベント監視システムの一実施形態を示す機能ブロック図である。
【図２】従来のイベント監視システムの構成例を示す機能ブロック図である。
【符号の説明】
【００４１】
１  制御バス
２  操作監視装置
４  フィールドバスインターフェース
５  フィールドバス
６１，６２，…６ｎ  フィールド機器
７  イベントサーバ
７１  ＯＰＣインターフェース
７２  データベース
７３  トリップ識別手段
９  汎用通信バス
１０  外部ＰＣ
１００  イベント監視装置
１０１  ＯＰＣインターフェース
１０２  イベント表示手段
１０３  収集状況表示手段
１０３ａ  第１収集状況表示バー
１０３ｂ  第２収集状況表示バー
１０３ｃ  制御装置階層表示画面
１０４  初期化手段
１０４ａ  制御装置選択手段
１０４ｂ  初期化ボタン
２００  制御装置
２０１  イベント処理手段
２０２  通常イベントメモリ手段
２０３ａ  第１トリップイベントメモリ手段
２０３ｂ  第２トリップイベントメモリ手段
【図１】
2006146632.tif 000003
【図２】
2006146632.tif 000004